(57)【要約】      （修正有）【課題】安全で円滑な走行が可能なプレーントロリー及びレール走行装置。【解決手段】レール2に係合し、該レールの係合面に沿って転動するローラー21を備えるプレーントロリー10であって、上記ローラーと上記係合面とが接する接触部への異物の進入を阻止する遮蔽部材を有し、上記遮蔽部材は、可撓性を有して上記係合面と接する可撓部材を有する。可撓部材は、刷毛部材、あるいは、ゴム部材からなる。遮蔽部材の上記レールの長さ方向一方側は、上記一方側から上記長さ方向他方側に向かうにつれて、上記レールの幅方向外側に向かって傾斜しているという構成を採用。【選択図】図３
2011255989.tif 000002
【特許請求の範囲】
【請求項１】
レールに係合し、該レールの係合面に沿って転動するローラーを備えるプレーントロリーであって、
前記ローラーと前記係合面とが接する接触部への異物の進入を阻止する遮蔽部材を有することを特徴とするプレーントロリー。
【請求項２】
前記遮蔽部材は、可撓性を有して前記係合面と接する可撓部材を有することを特徴とする請求項１に記載のプレーントロリー。
【請求項３】
前記可撓部材は、刷毛部材、あるいは、ゴム部材からなることを特徴とする請求項２に記載のプレーントロリー。
【請求項４】
前記遮蔽部材の前記レールの長さ方向一方側は、前記一方側から前記長さ方向他方側に向かうにつれて、前記レールの幅方向外側に向かって傾斜していることを特徴とする請求項１〜３のいずれか一項に記載のプレーントロリー。
【請求項５】
前記遮蔽部材は、前記レールの長さ方向両側に設けられていることを特徴とする請求項１〜４のいずれか一項に記載のプレーントロリー。
【請求項６】
請求項１〜５のいずれか一項に記載のプレーントロリーに吊下されたゴンドラを備えるレール走行装置。
【発明の詳細な説明】
【技術分野】
【０００１】
本発明は、プレーントロリー及びレール走行装置に関するものである。
【背景技術】
【０００２】
トロリーコンベヤは、周知のように、例えば工場の天井に架設されたレールに沿って製品あるいは工具等の荷を移動させるのに多用されている。特許文献１には、レールに係合し、該レールの係合面に沿って転動するローラーを備えるプレーントロリーが開示されている。
【先行技術文献】
【特許文献】
【０００３】
【特許文献１】特開平１０−２９７７３５号公報
【発明の概要】
【発明が解決しようとする課題】
【０００４】
ところで、プレーントロリーは、荷を吊り下げて移動させるだけでなく、高所で作業員が作業するための足場（ゴンドラ）を吊り下げて移動させるためにも用いられる。
高所作業現場では、足場からレールに作業員の手指が届くようにして、作業員がレールを手繰って、足場をレールに沿って移動させてしまう場合がある。この様に用いてしまうと、作業員がレールを手繰る際に、レールとローラーとの間に作業員の手指が巻き込まれる虞がある。また、レールに作業員の手指が届くため、手指を含め、ボルトやナット等の工具などの異物がレールの係合面上に載置される場合があり、該異物がレールとローラーとの間に巻き込まれると、トロリーの故障／脱落等によって走行に支障を来たす虞がある。
【０００５】
本発明は、上記問題点に鑑みてなされたものであり、安全で円滑な走行が可能なプレーントロリー及びレール走行装置の提供を目的とする。
【課題を解決するための手段】
【０００６】
上記の課題を解決するために、本発明は、レールに係合し、該レールの係合面に沿って転動するローラーを備えるプレーントロリーであって、上記ローラーと上記係合面とが接する接触部への異物の進入を阻止する遮蔽部材を有するという構成を採用する。
この構成を採用することによって、本発明では、レールの係合面に異物が載置されても、レールとローラーとの接触部への進入を遮蔽部材が阻止するので、異物が接触部に巻き込まれてしまうことを防止することが可能となる。
【０００７】
また、本発明においては、上記遮蔽部材は、可撓性を有して上記係合面と接する可撓部材を有するという構成を採用する。
この構成を採用することによって、本発明では、可撓部材は撓んで係合面と密に接することができるため、係合面上に小さな異物が載置されて場合あってもその進入を阻止でき、当該異物が接触部に巻き込まれてしまうことを防止することが可能となる。
【０００８】
また、本発明においては、上記可撓部材は、刷毛部材、あるいは、ゴム部材からなるという構成を採用する。
この構成を採用することによって、本発明では、刷毛部材、あるいは、ゴム部材は撓んで係合面と密に接することができるため、係合面上に小さな異物が載置されて場合あってもその進入を阻止でき、当該異物が接触部に巻き込まれてしまうことを防止することが可能となる。
【０００９】
また、本発明においては、上記遮蔽部材の上記レールの長さ方向一方側は、上記一方側から上記長さ方向他方側に向かうにつれて、上記レールの幅方向外側に向かって傾斜しているという構成を採用する。
この構成を採用することによって、本発明では、トロリーがレールの長さ方向一方側に向かうと、遮蔽部材により接触部への進入を阻止された異物が該遮蔽部材の傾斜形状によって、レール幅方向外側に向かって誘導されるため、レールの係合面上に載置された異物をトロリーの移動に伴って係合面から払い落とすことが可能となる。
【００１０】
また、本発明においては、上記遮蔽部材は、上記レールの長さ方向両側に設けられているという構成を採用する。
この構成を採用することによって、本発明では、遮蔽部材がレールの長さ方向両側に設けられているので、トロリーがレールの長さ方向のいずれに向かっても異物の接触部への進入を阻止することができる。
【００１１】
また、本発明においては、先に記載のプレーントロリーに吊下されたゴンドラを備えるレール走行装置を採用する。
【発明の効果】
【００１２】
本発明によれば、レールに係合し、該レールの係合面に沿って転動するローラーを備えるプレーントロリーであって、上記ローラーと上記係合面とが接する接触部への異物の進入を阻止する遮蔽部材を有するという構成を採用することによって、レールの係合面に異物が載置されても、レールとローラーとの接触部への進入を遮蔽部材が阻止するので、異物が接触部に巻き込まれてしまうことを防止することが可能となる。
したがって、本発明では、安全で円滑な走行が可能なプレーントロリーが得られる。
【図面の簡単な説明】
【００１３】
【図１】本発明の第１実施形態におけるスカイゴンドラの構成を示す側面図である。
【図２】本発明の第１実施形態におけるスカイゴンドラの構成を示す正面図である。
【図３】本発明の第１実施形態におけるプレーントロリーの構成を示す斜視図である。
【図４】本発明の第２実施形態におけるプレーントロリーの構成を示す斜視図である。
【図５】本発明の第２実施形態におけるプレーントロリーの機能を説明するための平面図である。
【発明を実施するための形態】
【００１４】
（第１実施形態）
以下、本発明の第１実施形態について図面を参照して説明する。
図１は、本発明の第１実施形態におけるスカイゴンドラ１の構成を示す側面図である。図２は、本発明の第１実施形態におけるスカイゴンドラ１の構成を示す正面図である。図３は、本発明の第１実施形態におけるプレーントロリー１０の構成を示す斜視図である。
【００１５】
図１及び図２に示すように、スカイゴンドラ（レール走行装置）１は、所定高さに架設されたレール２に係合するプレーントロリー１０と、プレーントロリー１０にロープ１１を介して吊下されるゴンドラ１２とを有する。本実施形態のスカイゴンドラ１は、例えば、図２に示すように、ＬＮＧ貯蔵タンク３の内側側壁４に保冷パネル５を設置するための作業用足場として用いられる。
【００１６】
レール２は、ＬＮＧ貯蔵タンク３の屋根部６に架設され、円筒状の内側側壁４に沿って所定高さで周回して設けられている。レール２は、Ｉ形鋼、あるいは、Ｈ形鋼からなり、そのフランジ７にプレーントロリー１０が走行自在に係合する構成となっている。より詳しくは、プレーントロリー１０に設けられたローラー２１と、フランジ７の係合面８とが鉛直方向で係合して、ローラー２１が係合面８上を転動することで、プレーントロリー１０がレール２に沿って走行自在な構成となっている。
【００１７】
ゴンドラ１２は、図１に示すように、作業員Ｐが複数人乗り込めるスペースを備える。ゴンドラ１２の前後方向（レールの長さ方向）両側には、ロープ１１を巻き取る巻取り装置１３が設けられる。巻取り装置１３でゴンドラ１２の高さをレール２に作業員Ｐの手指が届く高さに調節することにより、作業員Ｐは、レール２を手繰って、ゴンドラ１２をレール２に沿ってその長さ方向のいずれかに走行させることが可能な構成となっている。
【００１８】
プレーントロリー１０は、レール２のウェブ９を挟んだ位置に二組一対で設けられたローラー２１と、レール２下部を跨いでローラー２１をそれぞれレール２の幅方向に延びる回転軸周りに回転自在に支持する本体部２２とを有する。本体部２２は、ローラー２１をレール２の幅方向両側でそれぞれ支持する一対の側部フレーム及び該側部フレームを接続する支軸等から構成される。
【００１９】
プレーントロリー１０は、ローラー２１と係合面８とが接する接触部２３（図１参照）への異物の進入を阻止するカバー部材（遮蔽部材）３０を有する。
カバー部材３０は、図３に示すように、本体部２２に対し螺子部材３１（例えば、ボルト、ロックナット）等により固定されており、本体部２２と一体で移動する構成となっている。カバー部材３０は、平面視でコの字形状を有する金属プレートであり、ローラー２１及び本体部２２の前方及び後方（レール２の長さ方向両側）を遮蔽する遮蔽部３２を備える。
【００２０】
遮蔽部３２は、レール２の形状に応じた形状を有する。より詳しくは、本実施形態の遮蔽部３２は、フランジ７に沿う一辺及びウェブ９に沿う一辺を備える矩形の板形状を有する。遮蔽部３２とフランジ７との隙間は、作業員Ｐの手指の接触部２３への進入を阻止する大きさ、例えば５ミリメートル以下に設定することが好ましい。但し、該隙間を小さくしすぎると、作業員Ｐがレール２を手繰ったときに、遮蔽部３２とレール２とが擦れる場合があるため、トロリーの走行性を考慮して隙間の大きさを設定することが好ましい。
【００２１】
この構成によれば、プレーントロリー１０がレール２の長さ方向一方側に走行する際、トロリー前方のレール２の係合面８上に作業員Ｐの手指、あるいは、ボルトやナット等の異物があったとしても、カバー部材３０の遮蔽部３２でその異物を押しのけることができるため、ローラー２１と係合面８とが接する接触部２３への進入を阻止し、また、異物が巻き込まれてしまうことを防止することができる。したがって、本実施形態では、安全で円滑な走行が可能なプレーントロリー１０及びスカイゴンドラ１が得られる。
【００２２】
（第２実施形態）
次に、本発明の第２実施形態について説明する。以下の説明において、上述の実施形態と同一又は同等の構成部分については同一の符号を付し、その説明を簡略若しくは省略する。
【００２３】
図４は、本発明の第２実施形態におけるプレーントロリー１０の構成を示す斜視図である。図５は、本発明の第２実施形態におけるプレーントロリー１０の機能を説明するための平面図である。
第２実施形態では、カバー部材３０が、レール２の係合面８と接する可撓部材３３を有する点、また、遮蔽部３２が傾斜形状を有する点で、上記実施形態と異なる。
【００２４】
可撓部材３３は、遮蔽部３２の係合面８に対向する縁部（一辺）に沿って設けられている。本実施形態の可撓部材３３は、可撓性を有し係合面８に接する刷毛部材から構成されている。なお、可撓部材３３としては、ゴムべら等のゴム部材、あるいは、シート状のフィルム部材等であってもよい。
この構成によれば、遮蔽部３２とフランジ７との微小隙間を、可撓部材３３で遮蔽することができるため、より小さな異物（例えばワッシャー、ゴミ、塵等）の接触部２３への進入を阻止することができる。また、可撓部材３３は、その可撓性により柔軟に変形できるため、係合面８と擦れてもトロリーの走行を阻害することなく、また、係合面８と密に接して異物を掃けることができる。
【００２５】
第２実施形態の遮蔽部３２は、傾斜形状を有する。より詳しくは、レール２の長さ方向一方側に設けられた遮蔽部３２は、その一方側から長さ方向他方側に向かうにつれて、レール２の幅方向外側に向かって傾斜する構成となっている。
この構成によれば、図５に示すように、本体部２２がローラー２１の転動により、レール２の長さ方向一方側に向かうと、遮蔽部３２により接触部２３への進入を阻止された異物が該遮蔽部３２の傾斜形状によって、レール２の幅方向外側に向かって誘導されるため、レール２の係合面８上に載置された異物をトロリーの移動に伴って払い落とすことが可能となる。なお、払い落とした異物は、ゴンドラ１２等に落下するが、払い落とした異物を受ける受け皿をプレーントロリー１０に別途設けても良い。
【００２６】
したがって、上述の第２実施形態によれば、作業員Ｐの手指はもとより、レール２の係合面８上に溜まっているゴミ、埃等の小さな異物を取り除くことができ、滑らかなトロリー走行が可能となると共に、異物の巻き込みによるトロリーの故障を未然に防ぐことが可能となる。
【００２７】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【符号の説明】
【００２８】
１…スカイゴンドラ（レール走行装置）、２…レール、８…係合面、１０…プレーントロリー、１２…ゴンドラ、２１…ローラー、２３…接触部、３０…カバー部材（遮蔽部材）、３２…遮蔽部、３３…可撓部材
【図１】
2011255989.tif 000003
【図２】
2011255989.tif 000004
【図３】
2011255989.tif 000005
【図４】
2011255989.tif 000006
【図５】
2011255989.tif 000007